(57)【特許請求の範囲】
【請求項１】
移動通信ネットワークのユーザ端末における電話番号検索サービスを提供する方法であって、
前記ユーザ端末に電話番号検索サービスのための検索語が入力されると、前記検索語に対応する検索要請メッセージをサーバに送信するステップと、
前記サーバから前記検索語及び前記ユーザ端末の加入者情報に基づいて検索された事業者リストを受信して前記ユーザ端末の画面上に表示するステップと、
前記ユーザ端末の画面上に表示された事業者のうち、選択された事業者と通話を前記ユーザ端末で接続するステップと、
前記通話の途中、前記選択された事業者が提供する少なくとも一つの商品（product）イメージを前記ユーザ端末の画面上に表示するステップと、
前記ユーザ端末で所望の商品が選択されると、前記通話の途中、選択された前記商品に対する注文内訳を前記ユーザ端末の画面上に表示するステップと、
前記通話の途中、選択された前記商品に対する決済を処理するステップと、
前記通話の途中、前記決済に対する内訳を前記ユーザ端末の画面上に表示するステップと、を含むことを特徴とする方法。
【請求項２】
前記選択された事業者が提供する少なくとも一つの商品イメージは、前記ユーザ端末とネットワーク上の双方向呼処理システム間の双方向通信により表示されることを特徴とする請求項１に記載の方法。
【請求項３】
前記双方向通信は、前記双方向呼処理システムから前記ユーザ端末の通話接続要請に対応する前記少なくとも一つの商品イメージを受信する動作を含むことを特徴とする請求項２に記載の方法。
【請求項４】
選択された前記商品に対する決済は、前記ネットワーク上の課金システムとの通信を通じて処理されることを特徴とする請求項２に記載の方法。
【請求項５】
前記課金システムとの通信は、前記課金システムから前記決済に対する承認を受信する動作を含むことを特徴とする請求項４に記載の方法。
【請求項６】
前記ユーザ端末に追加要請が入力されないと、前記通話を自動で終了する動作をさらに含むことを特徴とする請求項５に記載の方法。
【請求項７】
前記事業者リストは、前記電話番号検索サービスに加入した事業者を管理する事業者データベース（ＤＢ）から獲得されることを特徴とする請求項１に記載の方法。
【請求項８】
前記事業者リストは、前記事業者への通話接続に関する統計情報によって整列され、
前記統計情報は、性別、年齢帯、及び前記電話番号検索サービスに加入した前記事業者に発信した発信時間に従う呼カウント値を含むことを特徴とする請求項７に記載の方法。
【請求項９】
前記事業者リストは、前記ユーザ端末の加入者と類似の加入者情報を有すると決定される類似加入者グループの通話パターンに基づいて、予め定められた基準によって整列されることを特徴とする請求項７に記載の方法。
【請求項１０】
電話番号検索サービスを提供する移動通信ネットワークのユーザ端末であって、
電話番号検索サービスのための検索語が入力されると、前記検索語に対応する検索要請メッセージをサーバに送信し、画面上に表示された事業者のうち、選択された事業者と通話を接続し、前記通話の途中に選択された商品に対する決済を処理する制御部と、
前記サーバから前記検索語及び前記ユーザ端末の加入者情報に基づいて検索された事業者リストを受信して表示し、前記通話の途中に、前記選択された事業者が提供する少なくとも一つの商品イメージを表示し、前記通話の途中に、所望の商品が選択されると、選択された前記商品に対する注文内訳を表示し、前記通話の途中に、前記決済に対する内訳を表示する画面部と、を含むことを特徴とするユーザ端末。
【請求項１１】
前記選択した事業者が提供する少なくとも一つの商品イメージは、前記ユーザ端末とネットワーク上の双方向呼処理システム間の双方向通信により表示されることを特徴とする請求項１０に記載のユーザ端末。
【請求項１２】
前記双方向通信は、前記双方向呼処理システムから前記ユーザ端末の通話接続要請に対応する前記少なくとも一つの商品イメージを受信する動作を含むことを特徴とする請求項１１に記載のユーザ端末。
【請求項１３】
選択された前記商品に対する決済は、前記ネットワーク上の課金システムとの通信を通じて処理されることを特徴とする請求項１１に記載のユーザ端末。
【請求項１４】
前記課金システムとの通信は、前記課金システムから前記決済に対する承認を受信する動作を含むことを特徴とする請求項１３に記載のユーザ端末。
【請求項１５】
前記制御部は、追加要請が入力されないと、前記通話を自動で終了することを特徴とする請求項１４に記載のユーザ端末。
【請求項１６】
前記事業者リストは、前記電話番号検索サービスに加入した事業者を管理する事業者データベース（ＤＢ）から獲得されることを特徴とする請求項１０に記載のユーザ端末。
【請求項１７】
前記事業者リストは、前記事業者への通話接続に関する統計情報によって整列され、
前記統計情報は、性別、年齢帯、及び前記電話番号検索サービスに加入した前記事業者に発信した発信時間に従う呼カウント値を含むことを特徴とする請求項１６に記載のユーザ端末。
【請求項１８】
前記事業者リストは、前記ユーザ端末の加入者と類似の加入者情報を有すると決定される類似加入者グループの通話パターンに基づいて、予め定められた基準によって整列されることを特徴とする請求項１６に記載のユーザ端末。
【発明の詳細な説明】
【技術分野】
【０００１】
本発明は、電話番号検索サービスに関し、特に、移動通信ネットワークのユーザ端末における電話番号検索サービスを提供する方法及びユーザ端末に関する。
【背景技術】
【０００２】
業種別電話帳サービスは、特定カテゴリーあるいは位置に属した事業者のリストや商号をユーザに提供する。ユーザは特定地域内の特定類型の事業者を要請し、該当タイプの事業者に対するリストを受信する。このようなサービスはイエローページサービスとも称する。
【０００３】
一般にイエローページサービスとは、電話局で発行する業種別電話帳を意味する“イエローブック（Yellow Book）”に対する検索機能をインターネットを基盤として具現したもので、電話帳の長所とインターネットアクセスの便宜性に基づいて広告と情報を同時に追求する新たな形態のインターネット付加サービスである。
【０００４】
最近、イエローページサービスが移動端末に提供されることによって、移動端末の加入者であるユーザは、自身が位置した所の広告事業者に対する詳細情報の提供を受けるサービスが登場している。しかしながら、現在までは通信事業者が保有している全ての広告事業者の事業場情報がユーザ個人の嗜好とは関係なく検索されている。言い換えれば、従来のイエローページサービスは、ユーザの嗜好を反映しない、単純情報の羅列に過ぎなかった。したがって、従来技術ではユーザの特性を反映した効果的な広告サービスに対応できないという問題点が存在した。
【発明の概要】
【発明が解決しようとする課題】
【０００５】
本発明の目的は、少なくとも上述した問題点及び／又は不都合に取り組み、少なくとも以下の便宜を提供することにある。即ち、本発明の目的は、ユーザの個人の好みを反映した電話番号検索サービスを提供する方法及びシステムを提供することにある。
【０００６】
本発明の他の目的は、移動端末のユーザの明示的な要求無しで通信事業者がユーザの個人の好みを考慮したカスタマイズされた電話番号検索サービスを提供する方法及びシステムを提供することにある。
【０００７】
本発明のまた他の目的は、通信事業者の加入者プロファイル及び加入者情報が類似した他の加入者の電話の統計を用いてカスタマイズされたイエローページサービスを提供する方法及びシステムを提供することにある。
【０００８】
本発明のさらにまた他の目的は、通信事業者の加入者プロファイル及び加入者情報が類似した他の加入者の通話パターンを用いて個人の好みを考慮したカスタマイズされたイエローページサービスを提供する方法及びシステムを提供することにある。
【０００９】
本発明のさらにまた他の目的は、加入者情報が類似の加入者グループの通話パターンを格納し、格納された通話パターンに基づいて検索された事業者を優先順位化する方法及びシステムを提供することにある。
【００１０】
本発明のさらにまた他の目的は、検索サービスを通じて提供された事業者との通話途中、ユーザが必要な詳細情報及びイメージをユーザに提供する方法及びシステムを提供することにある。
【００１１】
本発明のさらにまた他の目的は、検索サービスを通じて提供された事業者との通話途中、ユーザと事業者間の相互作用を通じてユーザが必要な詳細情報を提供する方法及びシステムを提供することにある。
【００１２】
本発明のさらにまた他の目的は、検索サービスを通じて提供された事業者との通話途中、ユーザとの相互作用を通じて認証及び支払いを進行する方法及びシステムを提供することにある。
【課題を解決するための手段】
【００１３】
上記のような目的を達成するために、本発明の実施形態の一態様によれば、移動通信ネットワークにおけるユーザ端末に電話番号検索サービスを提供する方法を提供する。上記方法は、ユーザ端末から電話番号検索サービスのための検索語及び上記ユーザ端末の加入者識別子を含む検索要請を受信するステップと、上記加入者識別子を用いて上記ユーザ端末が登録された移動通信ネットワークから上記ユーザ端末の加入者情報を獲得するステップと、上記電話番号検索サービスに加入した事業者を管理する事業者データベース（ＤＢ）から上記検索語に対応する事業者の事業者リストを獲得するステップと、予め定められた基準によって上記ユーザ端末と類似の加入者情報を有すると判断された類似加入者グループの通話パターンに基づいて上記事業者リストを整列するステップと、上記整列された事業者リストを上記ユーザ端末に提供するステップと、を含むことを特徴とする。
【００１４】
本発明の実施形態の他の態様によれば、業種別電話番号検索サービスの提供方法を提供する。上記方法は、電話番号検索サービスに加入した事業者のうち一つに伝送される呼の発生時、上記呼に対する呼情報を受信するステップと、上記呼情報から上記呼に対する発信番号及び着信番号を確認するステップと、上記発信番号に対応する発信加入者の性別及び年齢帯と上記呼の発信時間を確認するステップと、該当する上記事業者の性別と年齢帯及び発信時間に対する呼カウント値（call count）を各々増加させるステップと、上記電話番号検索サービスに加入した事業者に対する性別と年齢帯及び発信時間別呼カウント値を含む通話パターンを考慮して、業種別電話番号検索サービスを提供するステップと、を含むことを特徴とする。
【００１５】
本発明の実施形態の他の態様によれば、移動通信ネットワークにおけるユーザ端末に電話番号検索サービスを提供する方法を提供する。上記方法は、ユーザから電話番号検索サービスのための検索語が入力されると、上記検索語に対応する事業者を含む事業者リストをユーザ端末の画面上に表示するステップと、上記画面上に表示された事業者のうち、上記ユーザが選択した事業者と通話を接続するステップと、上記通話途中、上記ユーザとネットワーク上の双方向呼処理システム間の双方向通信によって、上記選択した事業者が提供する少なくとも一つの商品（product）イメージを上記画面上に表示するステップと、上記ユーザにより所望の商品が選択されると、上記通話途中、上記選択された商品に対する注文内訳を上記画面上に表示するステップと、上記通話途中、上記ネットワーク上の課金システムとの通信を通じて上記選択された商品に対する決済を処理するステップと、上記決済に対する承認内訳を上記画面上に表示するステップと、を含むことを特徴とする。
【００１６】
本発明の実施形態のさらに他の態様によれば、移動通信ネットワークにおけるユーザ端末に電話番号検索サービスを提供するシステムを提供する。上記システムは、ユーザ端末から電話番号検索サービスのための検索語及び上記ユーザ端末の加入者識別子を含む検索要請を受信し、上記検索要請に対応する検索結果を上記ユーザ端末に提供する検索部と、上記検索部から上記加入者識別子を受信して上記ユーザ端末の加入者情報を上記検索部に提供する加入者情報格納部と、上記電話番号検索サービスに加入した事業者を管理し、上記検索部から上記検索語を受信して上記検索語に対応する事業者の事業者リストを提供する事業者データベース（ＤＢ）と、予め定められた基準によって上記ユーザ端末と類似の加入者情報を有すると判断された類似加入者グループの通話パターンを格納及び管理する通話パターン管理部と、を含み、上記検索結果は、上記ユーザ端末と類似の加入者情報を有すると判断された類似加入者グループの通話パターンに基づいて上記事業者リストを整列した結果を含むことを特徴とする。
【００１７】
本発明の実施形態のさらに他の態様によれば、移動通信加入者のための電話番号検索サービスを提供するシステムを提供する。上記システムは、ユーザ端末から電話番号検索サービスのための検索語が受信されると、上記検索語に対応する事業者を含む事業者リストを提供する検索部と、上記事業者のうち少なくとも一つによる双方向呼処理を提供する双方向呼処理システムと、上記事業者のうち少なくとも一つによる決済及び課金を提供する課金システムと、を含み、上記ユーザ端末は、上記ユーザ端末の画面上に上記事業者リストを表示し、上記画面上に表示された事業者のうち、上記ユーザが選択した事業者と通話を接続し、上記通話途中、上記双方向呼処理システムで提供する少なくとも一つの商品イメージを上記画面上に表示し、上記ユーザにより所望の商品が選択されると、上記通話途中、上記選択された商品に対する注文内訳を上記画面上に表示し、上記課金システムとの通信を通じて上記選択された商品に対する決済を処理し、上記通話途中、上記決済に対する承認内訳を上記画面上に表示することを特徴とする。
【発明の効果】
【００１８】
本発明は、電話番号検索を所望するユーザが明示的に要求しなくても通信事業者が提供する通話パターンに対する情報に基づいて個人の好みが反映されて整列された検索結果を提供することによって、ユーザの検索便宜を保障しながらも適切に必要な事業者の情報をユーザに提供することができるという効果を持つ。またユーザは従来と同一に簡素な検索手順を通じても、自身と同じ年齢帯及び性別を持つ類似加入者グループが好む事業者のリストの提供を受けることができる。
【００１９】
本発明による実施形態の上記及び他の態様、特徴、及び利点は、添付の図面と共に述べる以下の詳細な説明から、一層明らかになるはずである。
【図面の簡単な説明】
【００２０】
【図１】本発明の一実施形態によるイエローページ検索手順を示したメッセージフローチャートである。
【図２】本発明の他の実施形態によるユーザの位置を考慮したイエローページ検索手順を示したメッセージフローチャートである。
【図３】本発明の望ましい実施形態によるイエローページサービスを提供するシステムの簡略な構成を示した図である。
【図４】本発明の望ましい実施形態によるユーザの性格を反映したイエローページ検索手順を示したメッセージフローチャートである。
【図５】本発明の望ましい実施形態による検索部の動作を示したフローチャートである。
【図６】本発明の望ましい実施形態による移動通信加入者の通話パターンを格納及び管理するためのシステム構成を示した図である。
【図７】本発明の望ましい実施形態による通話パターンの管理動作を示したフローチャートである。
【図８Ａ】本発明の実施形態による通話パターン管理部の事業者リスト整列動作を示したフローチャートである。
【図８Ｂ】本発明の実施形態による通話パターン管理部の事業者リスト整列動作を示したフローチャートである。
【図９】本発明の望ましい実施形態によるイエローページサービスを通じて提供された検索結果の一例を示した図である。
【図１０】本発明の望ましい実施形態による検索結果を通じて所望の事業者と自動でアクセスする動作を示した図である。
【図１１】本発明の望ましい実施形態による通話途中の決済動作を示した図である。
【発明を実施するための形態】
【００２１】
以下、本発明の望ましい実施形態を添付の図面を参照して詳細に説明する。下記の説明において、同一の構成要素に対してはできるだけ同一の参照符号及び参照番号を付して説明する。次の説明において、具体的な構成及び構成要素のような特定詳細は、ただ本発明の実施形態の全般的な理解を助けるために提供されるだけである。したがって、本発明の範囲及び趣旨を逸脱することなく、以下に説明される本発明の様々な変形及び変更が可能であることは、当該技術分野における通常の知識を持つ者には明らかである。なお、公知の機能又は構成に関する具体的な説明は、明瞭性と簡潔性のために省略する。
【００２２】
次の説明及び請求項に使用する用語及び単語は、辞典的意味に限定されるものではなく、発明者により本発明の理解を明確且つ一貫性があるようにするために使用する。従って、特許請求の範囲とこれと均等なものに基づいて定義されるものであり、本発明の実施形態の説明が単に実例を提供するためのものであって、本発明の目的を限定するものでないことは、本発明の技術分野における通常の知識を持つ者には明らかである。
【００２３】
英文明細書に記載の“ａ”、“ａｎ”、及び“ｔｈｅ”、すなわち単数形は、コンテキスト中に特記で明示されない限り、複数形を含むことは、当業者にはわかることである。したがって、例えば、“コンポーネント表面（a component surface）”との記載は、１つ又は複数の表面を含む。
【００２４】
以下、電話帳サービスを提供するための特定システム構成を説明する。しなしながら、本発明の実施形態による電話帳サービスを提供するための動作は、特定システム構成に限定されるものではなく、本発明の範囲及び趣旨を逸脱することなく、様々な変形及び変更が可能であることは、当該技術分野における通常の知識を持つ者には明らかである。
【００２５】
業種別電話帳サービス、すなわちイエローページサービスは、ユーザが入力した検索語に基づいて結果を提供する。ユーザはスマートフォン、ＰＤＡ（Personal Digital Assistant）あるいはインターネット検索サイトアクセス可能なフィーチャーフォンなどの移動端末（すなわちユーザ端末）を用いて検索語を入力し、ユーザ端末は、入力された検索語を３ＧＰＰ（3rd Generation Partnership Project）、ＬＴＥ（Long Term Evolution）、ＷｉＭＡＸ（Worldwide Interoperability for Microwave Access）、ＷｉＢｒｏ（Wireless Broadband Internet）などのような移動通信ネットワークあるいはＷｉ-Ｆｉ（Wireless Fidelity）のような無線近距離ネットワーク（Wireless Local Area Network:ＷＬＡＮ）を通じてデータネットワーク上の検索部（イエローページサーバ）に伝達する。検索部は、必要な場合、事業者データベース（DataBase:ＤＢ）のような他のサーバに必要な情報を問い合わせてユーザが入力した検索語に対応する検索結果をユーザ端末に提供する。
【００２６】
図１は、本発明の一実施形態によるイエローページ検索手順を示したメッセージフローチャートである。
【００２７】
図１を参照すれば、ステップ１０２で、ユーザ端末はユーザが入力した検索語（Keyword）を含むイエローページ検索要請（YellowPageSearchReq）メッセージを自身がアクセスしたネットワーク（移動通信ネットワークなど）を通じてイエローページ事業者サーバに伝達する。ステップ１０４で、該当検索語は検索要請（SearchReq）メッセージに含まれてイエローページ事業者サーバから検索部（イエローページサーバ）に伝達される。検索部は、ユーザの所望する検索機能を提供するために、事業者ＤＢ及び必要な他のサーバにアクセスすることができる。ステップ１０６で、検索部は該当検索語を事業者情報要請（BusinessInfoReq）メッセージに載せて事業者ＤＢに伝達する。事業者ＤＢは、電話番号の検索を許可した事業者の情報、すなわち商号、電話番号、アドレス、簡略な事業者紹介などを格納しており、別途のサーバで構成されるか、あるいは検索部内の内部ＤＢで構成されるか、あるいは検索部と同じネットワーク内に設けられることができる。
【００２８】
ステップ１０８で、事業者ＤＢは該当検索語に対応する事業者リストを含む事業者情報応答（BusinessInfoResp）メッセージを検索部に伝達する。事業者リストは該当検索語に対応する事業者の情報を含む。例えば、検索語が中華料理店である場合、事業者ＤＢに格納された中華料理店等の商号と電話番号及び追加的にアドレスと簡略な事業者紹介などが事業者リストに含まれることができる。ステップ１１０で、事業者リストは検索応答（SearchResp）メッセージに含まれてイエローページ事業者サーバに提供され、ステップ１１２で、イエローページ事業者サーバは、事業者リストをイエローページ検索応答（YellowPageSearchResp）メッセージに載せてユーザ端末に提供する。
【００２９】
上述した検索手順は、ユーザの性格や好みを考慮しないまま単純に検索語に対応する検索結果を提供するために、広告の効果が落ちざるを得ない。特に、ユーザは自身が現在位置する地域で近い事業者を検索しようとする場合が多いにもかかわらず、事業者ＤＢが単純に検索語に対応する全ての事業者のリストを提供する場合、ユーザがさらに所望の事業者を選択するための不都合がもたらされるという問題点が存在した。
【００３０】
図２は、本発明の他の実施形態によってユーザの位置を考慮したイエローページ検索手順を示したメッセージフローチャートである。
【００３１】
図２を参照すれば、ステップ２０２で、ユーザ端末は、ユーザが入力した検索語（Keyword）とユーザ端末の加入者識別子（Identifier:ＩＤ）を含むイエローページ検索要請（YellowPageSearchReq）メッセージを、自身がアクセスしたネットワーク（移動通信ネットワーク等）を通じてイエローページ事業者サーバに伝達する。該当加入者識別子は、移動通信ネットワークで上記ユーザ端末を識別するために使用されるもので、例えば、ＭＳＩＳＤＮ（Mobile Station International ISDN（Integrated Service Digital Network） number）、ＭＩＮ（Mobile Identify Number）、ＩＭＥＩ（International Mobile Equipment Identity）、ＩＣＣＩＤ（Integrated Circuit Card IDentifier）、ＩＭＳＩ（International Mobile Subscriber Identity）などが使用され得る。
【００３２】
ステップ２０４で、該当加入者識別子及び検索語は、検索要請（SearchReq）メッセージに含まれてイエローページ事業者サーバから検索部（イエローページサーバ）に伝達される。ステップ２０６で、検索部は該当加入者識別子をユーザ位置要請（UserLocationReq）メッセージに載せて位置情報格納部（例えば、位置サーバ（Location Server））に伝送する。位置情報格納部は、移動通信ネットワークに登録された全ての移動通信加入者（すなわちユーザ）の位置を確認して電話を受信することができるようにし、加入者に対する各種パラメータ／情報を管理して発／着信禁止など各種付加サービスを制御する。位置情報格納部は、例えばホーム位置登録器（Home Location Register）であり得る。位置情報格納部との連動のために、検索部は、位置情報格納部と同じ事業者ネットワークに所属されるか、あるいは予め協議された方式によって相互間に通信プロトコルを共有する。ステップ２０８で、位置情報格納部は、該当加入者識別子に対応するユーザ端末の現在登録された位置、例えばセルＩＤあるいは緯度／経度を検索し、それに応じて該当加入者識別子と上記検索された位置（ここでは、緯度及び経度で示す）を含むユーザ位置応答（UserLocationResp）メッセージを検索部に伝送する。ここで、ユーザ位置応答メッセージは、該当位置に対する精度を追加的にさらに指示することができる。ここで、精度とは、上記緯度及び経度に対する誤差程度などを表す。
【００３３】
ステップ２１０で、検索部は、該当検索語を該当加入者識別子と該当位置及び該当位置を中心とする半径（Radius）と共に、事業者情報要請（BusinessInfoReq）メッセージに載せて事業者ＤＢに伝達する。該当半径は選択的に含まれることができ、イエローページサービスで加入者の位置を中心としてある程度の地域に属する事業者を検索するかを示すものとして、検索部でサービス精度によって決定されるか、あるいはユーザ端末を通じてユーザから入力され得る。事業者ＤＢは、電話番号の検索を許可した事業者の情報、すなわち商号、電話番号、アドレス、簡略な事業者紹介などを格納しており、別途のサーバで構成されるか、あるいは検索部内の内部ＤＢで構成されるか、あるいは検索部と同じネットワーク内に設けられることができる。
【００３４】
ステップ２１２で、事業者ＤＢは、該当検索語に対応する事業者リストを含む事業者情報応答（BusinessInfoResp）メッセージを検索部に伝達する。事業者リストは該当検索語に対応し、上記加入者の位置を中心として該当半径の範囲内に位置する事業者の情報を含む。このために事業者ＤＢは検索を許可した事業者の情報と共に概略的な位置、すなわち行政区域あるいは緯度／経度を追加で格納する。例えば、検索語が中華料理店である場合、事業者ＤＢに格納された中華料理店の商号と電話番号及び追加的にアドレスと簡略な事業者紹介などが事業者リストに含まれることができる。ステップ２１４で、事業者リストは検索応答（SearchResp）メッセージに含まれてイエローページ事業者サーバに提供され、ステップ２１８でイエローページ事業者サーバは、事業者リストをイエローページ検索応答（YellowPageSearchResp）メッセージに載せてユーザ端末に提供する。すると、ユーザは検索しようとする地理的な位置を別途に入力しなくても、検索部と移動通信ネットワークの連動を通じて現在位置する地域で近い事業者の電話番号を獲得することができる。
【００３５】
上記では検索部が移動通信ネットワークの位置情報格納部にユーザ端末の位置を問い合わせする場合の動作を示したが、ユーザ端末がＧＰＳ（Global Positioning System）を内蔵している場合、ユーザ端末は検索語と共に自身の現在位置（緯度／経度）をイエローページ検索要請メッセージに含めることによって、自身の現在位置を通報することができる。
【００３６】
図２での検索手順は、ユーザの現在位置を考慮するという点で、図１に比べてよりユーザの便宜を保障しているが、ユーザの現在位置に近い事業者を単純羅列する形態で提供するために、ユーザの嗜好に従う検索結果を受信し難いという問題点があった。
【００３７】
図３は、本発明の望ましい実施形態によるイエローページサービスを提供するシステムの簡略な構成を示した図である。
【００３８】
図３を参照すれば、イエローページサービスを提供するシステムは、イエローページサービスを要請するユーザ端末３３０、イエローページ事業者サーバ３３２、検索部（Search Entity）３３４、加入者情報格納部３３６、位置情報格納部３３８、事業者ＤＢ３４０、通話パターン管理部３４２を含む。ユーザ端末３３０を除外した構成要素は、別個の個体で構成された個別サーバで具現されるか、あるいは一つのネットワークに属した内部個体で構成され得る。例えば、通話パターン管理部３４２と位置情報格納部３３８及び加入者情報格納部３３６は、ユーザ端末３３０が属した移動通信ネットワークを運営する同一事業者ネットワークに所属されることが望ましい。また事業者の具現によって検索部３３４と事業者ＤＢ３４０及びイエローページ事業者サーバ３３２のうち少なくとも一つが同一事業者ネットワークで具現され得る。変形された実施形態として図示した構成要素のうち、少なくとも二つあるいはそれ以上は、一つの個体で統合され得る。例えば、イエローページ事業者サーバ３３２は、事業者の具現によって検索部３３４と統合されることができ、加入者情報格納部３３６と位置情報格納部３３８は、一つのＨＬＲ（Home Location Register）で具現され得る。
【００３９】
加入者情報格納部３３６は、検索部３３４の要請によって、加入者情報、すなわち年齢、性別などを提供する。通話パターン管理部３４２は、移動通信ネットワークの交換機と連動し、発信者の性別、年齢、発信時間帯などの条件によって事業者ＤＢに属した事業者に対する通話の統計情報（例えば、各条件別呼の回数）を格納し、検索部３３４の要請によって優先順位アルゴリズムに基づいて事業者リストを整列する機能を追加で有することができる。具体的に通話パターン管理部３４２は、事業者ＤＢに格納された各事業者に対して呼を要請した発信加入者の年齢及び性別と該当呼の発信時間などをカウントした統計情報（すなわち通話パターン）を格納し、これに基づいて事業者リストを整列する。図示した構成要素の間の相互動作にともなう詳細な検索手順は、図４を参照して後述する。
【００４０】
本発明の望ましい実施形態では、検索を要請したユーザと類似の加入者情報を持つ類似加入者グループが検索を要請したユーザと類似の性格（趣向）を持つと見なし、上記類似加入者グループの事業者に対する検索結果によってユーザに優先順位化された事業者リストを提供する。上記類似加入者グループは、予め定められた判断基準によってユーザに対して移動通信ネットワークに登録された加入者情報によって決定され、例えばユーザと性別及び年齢帯が同じ加入者を含み得る。
【００４１】
図４は、本発明の望ましい実施形態によってユーザの性格を反映したイエローページ検索手順を示したメッセージフローチャートである。
【００４２】
図４を参照すれば、ユーザの検索要請がある前に、通話パターン管理部は、移動通信ネットワークの交換機との連動を通じて事業者ＤＢに登録された事業者に対して通話を要請した発信加入者の年齢、性別、発信時間などをカウントした統計情報（すなわち通話パターン）を持続的に格納及び管理している。
【００４３】
ステップ４０２で、ユーザ端末はユーザが入力した検索語（Keyword）とユーザ端末の加入者識別子（Identifier:ＩＤ）を含むイエローページ検索要請（YellowPageSearchReq）メッセージを自身がアクセスしたネットワーク（移動通信ネットワーク等）を通じてイエローページ事業者サーバに伝達する。該当加入者識別子は移動通信ネットワークで上記ユーザ端末を識別するために使用されるもので、例えば、ＭＳＩＳＤＮ、ＭＩＮ、ＩＭＥＩ、ＩＣＣＩＤ、ＩＭＳＩなどを含み得る。
【００４４】
ステップ４０４で、該当加入者識別子及び検索語は、検索要請（SearchReq）メッセージに含まれてイエローページ事業者サーバから検索部（例えば、イエローページサーバ）に伝達される。ステップ４０６で、検索部は該当加入者識別子をユーザ情報要請（UserInfoReq）メッセージに載せて加入者情報格納部（例えば、加入者情報サーバ）に伝送する。加入者情報格納部は、移動通信ネットワークに登録された全ての移動通信加入者（すなわちユーザ）に対する各種加入者パラメータ／情報を管理して発／着信禁止など各種付加サービスを制御する。上記加入者情報格納部は、位置情報格納部と同じ個体で具現されることができ、例えば、ホーム位置登録器（Home Location Register）であり得る。加入者情報格納部との連動のために、検索部は位置情報格納部と同じ事業者ネットワークに所属されるか、あるいは予め協議された方式によって相互間に通信プロトコルを共有する。ステップ４０８で、加入者情報格納部は、該当加入者識別子に対応するユーザ端末のユーザ情報、具体的に年齢及び性別を検索し、それに応じて該当加入者識別子と上記検索されたユーザ情報を含むユーザ情報応答（UserInfoResp）メッセージを検索部に伝送する。
【００４５】
ステップ４１０で、検索部は該当加入者識別子をユーザ位置要請（UserLocationReq）メッセージに載せて位置情報格納部（Location Server）に伝送する。位置情報格納部は例えばホーム位置登録器（Home Location Register）であり得る。ステップ４１２で、位置情報格納部はその応答として該当加入者識別子に対応するユーザ端末の現在登録された位置、例えばセルＩＤあるいは緯度／経度を含むユーザ位置応答（UserLocationResp）メッセージを検索部に伝送する。ここで、ユーザ位置応答メッセージは、該当位置に対する精度を追加でさらに指示することができる。
【００４６】
ステップ４１４で、検索部は、該当検索語を該当加入者識別子と該当位置及び該当位置を中心とする半径（Radius）と共に、事業者情報要請（BusinessInfoReq）メッセージに載せて事業者ＤＢに伝達する。該当半径は選択的に含まれることができ、イエローページサービスで加入者の位置を中心としてある程度の地域に属する事業者を検索するかを示すものとして、検索部でサービス精度によって決定されるか、あるいはユーザ端末を通じてユーザから入力され得る。事業者ＤＢは、電話番号の検索を許可した事業者の情報、すなわち商号、電話番号、アドレス、簡略な事業者紹介などを格納している。
【００４７】
ステップ４１６で、事業者ＤＢは、該当検索語に対応する少なくとも一つの事業者を含む事業者リストを含む事業者情報応答（BusinessInfoResp）メッセージを検索部に伝達する。事業者リストは該当検索語に対応し、上記加入者の位置を中心として該当半径の範囲内に位置する事業者の情報（商号、電話番号、緯度及び経度など）を含む。
【００４８】
上述したような過程を通じて、ユーザ端末のユーザ情報、位置情報及び事業者リストの検索が完了すれば、以後、検索部は事業者リストに含まれた事業者をユーザの好みを考慮して優先順位化するための動作を遂行する。この優先順位化動作は、具体的に事業者リストをユーザの類似加入者グループの通話パターンに基づいて整列する動作を含み、設計者の具現によって、検索部あるいは通話パターン管理部によって遂行され得る。ステップ４１８乃至４２２では、一実施形態として通話パターン管理部による優先順位化動作を示す。
【００４９】
ステップ４１８で、検索部は該当加入者識別子、性別、年齢、検索時間及び事業者リストを含むパターン要請（PatternReq）メッセージを通話パターン管理部に伝達する。該当検索時間は検索を要請した時点を意味し、例えば、ユーザ端末が検索を要請した時点と検索部が上記パターン要請メッセージを伝送する時点との間のある一時点を指示することができる。ステップ４２０で、通話パターン管理部は、上記パターン要請メッセージに含まれた性別、年齢及び検索時間に基づいて事業者リスト上の事業者を整列する。具体的に、通話パターン管理部は、要請された性別と同じ性別と年齢帯を持つ類似加入者グループが該当検索時間を含む時間帯でよく検索した順に上記事業者を整列する。類似の年齢帯は、予め定められた基準によってユーザの年齢（Ａ）を中心として一定範囲、例えば２０代、３０代、４０代、５０代など…を意味するか、あるいはＡ-ｎ〜Ａ+ｎ（ここで、ｎは予め定められる正の整数）内を意味する。該当検索時間を含む時間帯は、予め定められた基準によって複数の時間帯、例えば朝、午後、夜間のうち、該当検索時間を含む時間帯として決定され得る。ステップ４２２で、通話パターン管理部は、該当加入者識別子と整列された事業者を含む優先順位化された事業者リストをパターン応答（PatternResp）メッセージに載せて検索部に伝送する。
【００５０】
ステップ４２４で、優先順位化された事業者リストは、検索応答（SearchResp）メッセージに含まれてイエローページ事業者サーバに提供され、ステップ４２６でイエローページ事業者サーバは、事業者リストをイエローページ検索応答（YellowPageSearchResp）メッセージに載せてユーザ端末に提供する。するとユーザは追加的な情報を入力しなくても、類似加入者グループの好みが反映された事業者の電話番号を獲得することができる。
【００５１】
ステップ４１８乃至４２２では、検索部が通話パターン管理部により優先順位化された事業者リストを受信する場合の動作を図示した。他の実施形態として、検索部は通話パターン管理部からユーザの類似加入者グループに対する通話パターン情報を問い合わせて受信した後、上記通話パターン情報に基づいて事業者リストを直接優先順位化することができる。このために、検索部は、ユーザの年齢、性別、位置（緯度／経度）、検索時間を通話パターン管理部に伝送し、通話パターン管理部から上記ユーザの類似加入者グループによりよく検索された上位Ｎ個の事業者に対する優先順位化されない事業者リストを受信する（ここで、Ｎは自然数である）。すると、検索部は上記優先順位化されない事業者リストを所定基準によって整列してイエローページ事業者サーバを通じてユーザ端末に検索結果として提供する。
【００５２】
図５は、本発明の望ましい実施形態による検索部の動作を示したフローチャートである。
【００５３】
図５を参照すれば、ステップ５０２で、検索部にユーザ端末からの検索要請が受信される。該当検索要請は、ユーザにより入力された検索語及びユーザ端末の加入者識別子を含む。ステップ５０４で、検索部は、該当加入者識別子に基づいて加入者情報格納部に上記ユーザ端末の加入者情報（性別及び年齢）を問い合わせて獲得する。
【００５４】
同様に、ステップ５０６で、検索部は、該当加入者識別子に基づいて位置情報格納部に上記ユーザ端末の位置情報（緯度及び経度）を問い合わせて獲得する。ここで、ステップ５０４とステップ５０６は、順次的に遂行されるか、独立的にあるいは並列的に遂行されることに留意すべきである。
【００５５】
ステップ５０８で、検索部は事業者ＤＢから該当検索語と該当位置情報に基づく事業者リストを要請して獲得する。またステップ５１０で検索部は上記加入者情報と検索時間及び該当位置情報に基づいて上記ユーザ端末の類似加入者グループの通話パターンに基づいて事業者リストを整列する。具体的に事業者リストは、上記類似加入者グループに属した加入者がよく検索した順に整列され、上位事業者を除外した残りの事業者は事業者リストから除去され得る。ステップ５１２で、整列された事業者リストは該当検索要請を発生させた上記ユーザ端末に提供される。
【００５６】
図６は、本発明の望ましい実施形態によって移動通信加入者の通話パターンを格納及び管理するためのシステム構成を示した図である。
【００５７】
図６を参照すれば、通話パターン管理部３４２は、移動通信ネットワークの交換機６００と連動し、登録された事業者に対する呼が発生するごとに、交換機６００から該当呼に対する発信及び着信番号を含む呼情報を受信し、加入者の性別と年齢帯及び発信時間によって各事業者に対して呼の個数をカウントする。このために交換機６００及び通話パターン管理部３４２は、事業者ＤＢ３４０から電話番号の検索を許可した事業者の情報を受信することができる。例えば、交換機６００は事業者ＤＢ３４０に登録された事業者に対する呼が発生する時、該当呼に対する情報を通話パターン管理部３４２に提供する。他の例として、通話パターン管理部３４２は、交換機６００から受信された呼情報を参照して事業者ＤＢ３４０に登録された事業者に着信される呼であると判断される場合、該当呼をカウントする。
【００５８】
図７は、本発明の望ましい実施形態による通話パターンの管理動作を示したフローチャートである。
【００５９】
図７を参照すれば、ステップ７０２で電話番号の検索を許可した事業者に関連した呼、例えば上記事業者に発信される呼が発生した場合、通話パターン管理部は交換機から該当呼に対する呼情報を受信する。ステップ７０４で通話パターン管理部は、該当呼情報に含まれた発信及び着信番号を確認し、ステップ７０６で上記発信番号に対応する発信加入者の加入者情報、すなわち年齢及び性別と該当呼に対する発信時間を確認する。ステップ７０８で通話パターン管理部は、上記事業者に対する年齢、性別、発信時間別カウントを各々１ずつ増加させる。
【００６０】
図８Ａは、本発明の一実施形態による通話パターン管理部の事業者リスト整列動作を示したフローチャートである。
【００６１】
図８Ａを参照すれば、ステップ８０２で、通話パターン管理部は、検索部から事業者の検索を所望するユーザ端末の年齢、性別、検索時間及び検索語と関連した事業者リストを受信する。上述したように事業者リストは、ユーザ端末の現在位置に基づいて検索された事業者を含む。すると、ステップ８０４で、通話パターン管理部は、上記ユーザ端末の加入者と同じ性別を持つ加入者の通話パターンに基づいて事業者リスト内の事業者を１次整列する。例えばユーザ端末の加入者が男性である場合、事業者リスト内の事業者は、男性加入者に対する呼カウント値に基づいて昇順整列される。
【００６２】
ステップ８０６で、１次整列された事業者リストは、上記ユーザ端末の加入者と同じ年齢帯を持つ加入者の通話パターンに基づいて２次整列される。例えば、ユーザ端末の加入者が２０代である場合、１次整列された事業者リストの事業者は２０代加入者に対する呼カウント値に基づいて昇順整列される。ステップ８０８で、２次整列された事業者リストは、上記ユーザ端末が検索を要請した時間によって３次整列される。例えば検索時間が昼食時間帯に属する場合、２次整列された事業者リストの事業者は、昼食時間帯に対する呼カウント値に基づいて昇順整列される。ステップ８１０で、３次整列された事業者リストは、検索部に検索結果として提供される。
【００６３】
図８Ｂは、本発明の他の実施形態による通話パターン管理部の事業者リスト整列動作を示したフローチャートである。
【００６４】
図８Ｂを参照すれば、ステップ８２０で通話パターン管理部は、検索部から事業者の検索を所望するユーザ端末の年齢、性別、検索時間及び検索語と関連した事業者リストを受信する。ステップ８２２で通話パターン管理部は、上記ユーザ端末と同じ性別及び年齢帯を有し、検索時間が同じ加入者が事業者リストの事業者に発信した呼カウント値を相互比較して整列する。ステップ８２４で通話パターン管理部は、整列された事業者リストの中、呼カウント値が同じ事業者が存在するかを確認し、存在しないと、ステップ８３６に進行する。一方、呼カウント値が同じ事業者が存在する場合、ステップ８２６で呼カウント値が同じ事業者は性別に対する呼カウント値に基づいて整列される。
【００６５】
ステップ８２８で、通話パターン管理部は、ステップ８２６で整列された事業者リストの中、性別に対する呼カウント値が同じ事業者が存在するかを確認し、存在しないと、ステップ８３６に進行する。一方、性別に対する呼カウント値が同じ事業者が存在する場合、ステップ８３０で性別に対する呼カウント値が同じ事業者は年齢帯に対する呼カウント値に基づいて整列される。ステップ８３２で通話パターン管理部は、ステップ８３０で整列された事業者リストの中、年齢帯に対する呼カウント値が同じ事業者が存在するかを確認し、存在しないとステップ８３６に進行する。一方、年齢帯に対する呼カウント値が同じ事業者が存在する場合、ステップ８３４で年齢帯に対する呼カウント値が同じ事業者は時間帯別呼カウント値に基づいて整列される。
【００６６】
ステップ８３６で、通話パターン管理部は、ステップ８２２、８２６、８３０及び８３４のうち、いずれか一つで整列された事業者リストを検索部に検索結果として提供する。
【００６７】
下記では通話パターンに従う事業者の優先順位化動作を例に挙げて説明する。下記の表１〜表３は、通話パターン管理部により蓄積された通話パターンを例示したものである。
【００６８】
【表１】
0006001620.tif 000002
【００６９】
【表２】
0006001620.tif 000003
【００７０】
【表３】
0006001620.tif 000004
【００７１】
後述する例で、検索語が“チキンストア”であり、検索を要請したユーザ端末の加入者情報に従う性別は“男性”、年齢は“２０代”、時間は“夕方”であると仮定する。
【００７２】
該当検索語に関連した事業者、即ち、事業者Ａ、Ｂ、Ｃの格納された通話パターンは、表１〜表３のようであり、格納された通話パターンに基づく優先順位は、次の通りである。
【００７３】
１.事業者Ｃ:男性／２０代／夕方−３２１呼（calls）
２.事業者Ｂ:男性／２０代／夕方−５０呼
３.事業者Ａ:男性／２０代／夕方−５０呼
【００７４】
上記例のように、事業者Ｂと事業者Ａの呼カウント値が同一であれば、事業者Ｂと事業者Ａは、イエローページ事業者が設定する優先順位によって整列される。図８Ａ及び図８Ｂのフローチャートに示した例のように、設定された優先順位が性別＞年齢＞時間＞である場合、事業者Ｂの男性に対する呼カウント値は８５２であり、事業者Ａの男性に対する呼カウント値は４０５７であるから、ユーザに見られる最終優先順位は次の通りである。
【００７５】
１.事業者Ｃ:男性／２０代／夕方−３２１呼
２.事業者Ａ:男性／２０代／夕方−５０呼（男性:４０５７）
３.事業者Ｂ:男性／２０代／夕方−５０呼（男性:８５２）
【００７６】
変形された例として、もし男性に対する呼カウント値が同一であれば、上記事業者は２０代に対する呼カウント値に基づいてさらに整列される。
【００７７】
図９は、本発明の望ましい実施形態によってイエローページサービスを通じて提供された検索結果の一例を示した図である。
【００７８】
図９を参照すれば、ユーザ端末９０２のユーザ９００は、‘乙支路’に位置する２０代の男性である‘キムチョルス’であり、ユーザ端末９０２を操作してイエローページサービスのためのアプリケーションであるスマートイエローページ９０４を実行する。加入者はスマートイエローページ９０４の検索ウィンドウを通じて所望の検索語９０６、例えば‘中華料理店’を入力する。検索語９０６とユーザ端末９０２の加入者ＩＤは、検索要請９０８を通じてイエローページサービスを提供する検索システム９１０に伝達される。検索システム９１０は例えば図３のように構成されることができ、検索要請９０８に含まれた検索語９０６及び加入者ＩＤに基づいてユーザ端末９０２の加入者情報９１２と位置情報９１４及び類似加入者グループの通話パターン９１６を獲得し、上記獲得した情報に基づいてユーザ９００が好む周辺の中華料理店を含む事業者リスト９１８を決定する。事業者リスト９２０は、検索応答９２０を通じてユーザ端末９０２に提供され、ユーザ端末９０２はスマートイエローページ９０４の検索結果画面を通じて事業者リスト９１８に含まれた周辺中華料理店９２４の商号を表示（display）する。この時、事業者リスト９１８は、検索された事業者の商号及び電話番号と共に、周辺地図イメージなどの追加情報をさらに含み得る。スマートイエローページ９０４は、画面上に表示された中華料理店９２４のうち、ユーザが選択した事業者に対する詳細情報、例えば周辺地図９２６などを同一画面上に表示することができる。
【００７９】
イエローページサービスを通じて獲得された事業者がユーザ端末の画面上に表示されると、ユーザはキーボード操作あるいはタッチ入力を通じて上記画面上に表示された事業者のうち、所望の事業者の商号を選択することによって、ユーザ端末が該当選択された事業者に自動で電話接続を試みるようにすることができる。
【００８０】
図１０は、本発明の望ましい実施形態によって検索結果を通じて所望の事業者と自動で接続する動作を示した図である。
【００８１】
図１０を参照すれば、ユーザ端末１００２は、イエローページサービスのためのアプリケーションであるスマートイエローページ１００４の画面を通じて検索結果のうち、ユーザが選択した事業者１００６である‘ヒェンキョン’の詳細情報、例えば周辺地図を表示する。併せて、画面上には選択した事業者１００６に電話をかけることができる‘ダイアル’アイコン１００８が共に表示される。ユーザがキーボード操作あるいはタッチ入力を通じて上記‘ダイアル’アイコン１００８を選択すれば、ユーザ端末１００２は、選択した事業者１００６の電話番号に自動で電話接続を試みる。
【００８２】
望ましい実施形態として、選択した事業者１００６が双方向呼処理サービスを提供するように加入している場合、ユーザはユーザ端末１００２を通じて選択した事業者１００６と通話を遂行する途中、スマートイエローページ画面を通じて所望する少なくとも一つの料理を選択し、選択した料理に対するイメージの提供を受けるか、あるいは選択した事業者１００６で推薦する料理に対する情報の提供を受けることができる。このためにユーザ端末１００２は、上記選択した事業者と通話を接続するとき、ネットワーク１０２０上の双方向呼処理システム１０２２に接続する。双方向呼処理システム１０２２は、該当する事業者により直接的に運営されるか、あるいは専門管理事業者により運営されることができ、該当する事業者と通話を接続しているユーザ端末からの要請１０２４を受信して解析し、上記ユーザの要請１０２４に対応する事業者の提供情報１０２６をユーザ端末１００２に提供する。
【００８３】
例えば、ユーザ端末１００２が所望の事業者と通話を接続して料理の注文を要請すれば、双方向呼処理システム１０２２は、通話途中、上記事業者が提供する全体料理あるいはおすすめの料理に対するリストを提供する。上記リストは各料理に対する簡単な紹介と料理イメージを含み得る。追加的にユーザは画面に表示された料理イメージ１０１０を見て該当料理に対する問い合わせなどを双方向呼処理システム１０２２に伝送することができ、これに対して双方向呼処理システム１０２２は、上記問い合わせに対する事業者の回答をユーザ端末１００２の画面を通じて提供する。
【００８４】
図１１は、本発明の望ましい実施形態による通話途中の決済動作を示した図である。
【００８５】
図１１を参照すれば、ユーザ端末１１０２は、イエローページサービスのためのアプリケーションであるスマートイエローページ１１０４の画面を通じて検索結果を表示し、検索結果のうち、ユーザが選択した事業者と通話が接続すれば、通話中にユーザの要請あるいは事業者の指定によって事業者が提供する情報、例えば料理イメージ１１０６を表示する。ユーザが料理イメージ１１０６を通じて所望の料理を注文１１２０すれば、スマートイエローページ１１０４は、通話を接続した状態で注文１１２０に対した注文内訳１１０８を画面上に提供してユーザが自身の選択をもう一度確認することができるようにする。ユーザが注文１１２０を確認すれば、スマートイエローページ１１０４は、決済要請１１２２をネットワーク１１３０上の課金システム１１３２に伝送する。課金システム１１３２は、ユーザ端末１１０２が加入した移動通信ネットワークに属するか、あるいは別途の課金運営事業者により運営され得る。課金システム１１３２がユーザ端末１１０２を認証して別途定義された決済手段（通信料金あるいはクレジットカード等）を確認すれば、決済承認１１２０が課金システム１１３２からユーザ端末１１０２に伝送される。ユーザ端末１１０２で実行中であるスマートイエローページ１１０４は、決済承認１１２０に従う決済の承認内訳１１１０を画面上に表示する。以後、ユーザの追加要請がない場合、上記通話は自動で終了され得る。これでユーザが通話を維持している状態で決済要請と承認内訳の確認を一度に処理することができる。
【００８６】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００８７】
３３０  ユーザ端末
３３２  イエローページ事業者サーバ
３３４  検索部（Search Entity）
３３６  加入者情報格納部
３３８  位置情報格納部
３４０  事業者ＤＢ
３４２  通話パターン管理部
【図１】
0006001620.tif 000005
【図２】
0006001620.tif 000006
【図３】
0006001620.tif 000007
【図４】
0006001620.tif 000008
【図５】
0006001620.tif 000009
【図６】
0006001620.tif 000010
【図７】
0006001620.tif 000011
【図８Ａ】
0006001620.tif 000012
【図８Ｂ】
0006001620.tif 000013
【図９】
0006001620.tif 000014
【図１０】
0006001620.tif 000015
【図１１】
0006001620.tif 000016